(57)【要約】【課題】段積み状態における側壁部の変形を防止するとともに、スライドスタックをスムースに実行可能とする折畳み容器を提供する。【解決手段】折畳み容器１は、底壁構成部２の支持部３７との間に隙間が形成されるように底壁構成部２の外周対応部３４から下方に突出する底壁側係止部３８、３９と、組立状態の折畳み容器１を段積みした場合に、上側の折畳み容器１の底壁側係止部３８、３９と、支持部３７との間に挿入される側壁側係止部３１、３２とを備え、長側壁側係止部３１は長辺側側壁部６の横幅方向に延在する。さらに、組立状態にある折畳み容器１に対し、その上側に載せた折畳み容器１が長辺側側壁部６の横幅方向においてずれた場合に、下側の折畳み容器１の長側壁側係止部３１上面に当接するスライド補助突起４１と、組立状態にある折畳み容器１を段積みした場合に、上側の折畳み容器１のスライド補助突起４１が収容される収容凹部４４とを備える。【選択図】      図１
2019085163.tif 000002
【特許請求の範囲】
【請求項１】
平面視略矩形状をなす底壁部、前記底壁部の相対する一対の第１側辺部に沿ってそれぞれ上方に突出する第１土台部、及び、前記底壁部の相対する一対の第２側辺部に沿ってそれぞれ上方に突出する第２土台部を具備する底壁構成部と、
前記各第１土台部に対してそれぞれ回動変位可能に連結された第１側壁部と、
前記各第２土台部に対してそれぞれ回動変位可能に連結された第２側壁部とを備え、
前記各第１側壁部、及び、前記各第２側壁部が、それぞれ前記第１土台部、及び、前記第２土台部の上方に立設される起立位置と、前記底壁部の上方に寝かされる寝かせ位置との間を回動変位可能に構成された折畳み容器において、
全ての前記側壁部を前記起立位置とさせた組立状態にある折畳み容器同士を上下に積み重ね可能に構成され、
前記各第１側壁部は、当該第１側壁部の上辺部から上方に突出し、当該第１側壁部の横幅方向に沿って延在する第１側壁側係止部を備え、
前記各第２側壁部は、当該第２側壁部の上辺部から上方に突出する第２側壁側係止部を備え、
前記底壁部は、当該底壁部のうち前記組立状態にある前記折畳み容器同士を積み重ねた場合に下側の前記折畳み容器の前記側壁部の上辺部に当接して支持される部位である外周対応部よりも内周側の部位から下方に突出する支持部を備え、
前記底壁構成部は、
前記外周対応部のうち前記第１土台部の下方に位置する第１外周対応部において、前記支持部との間に隙間が形成されるようにして前記第１外周対応部から下方に突出する第１底壁側係止部と、
前記外周対応部のうち前記第２土台部の下方に位置する第２外周対応部において、前記支持部との間に隙間が形成されるようにして前記第２外周対応部から下方に突出する第２底壁側係止部とを備え、
前記組立状態にある折畳み容器同士を積み重ねた場合に、上側の折畳み容器の前記第１底壁側係止部と、前記支持部との間の隙間に、下側の折畳み容器の前記第１側壁側係止部が挿入され、かつ、上側の折畳み容器の前記第２底壁側係止部と、前記支持部との間の隙間に、下側の折畳み容器の前記第２側壁側係止部が挿入される構成であって、
前記底壁構成部は、前記第１外周対応部から下方に突出するスライド補助突起を備え、
前記第１側壁側係止部には、前記組立状態にある折畳み容器同士を積み重ねた場合に、上側の折畳み容器の前記スライド補助突起が収容される収容凹部が設けられ、
組立状態にある折畳み容器に対し、その上側に載せた折畳み容器の水平方向における相対位置が、前記第１側壁部の横幅方向においてずれた場合においても、上側の折畳み容器の前記第１底壁側係止部と、前記支持部との間の隙間に、下側の折畳み容器の前記第１側壁側係止部が挿入された状態とされるとともに、
組立状態にある折畳み容器に対し、その上側に載せた折畳み容器の水平方向における相対位置が、前記第１側壁部の横幅方向においてずれた場合に、上側の折畳み容器の前記スライド補助突起が、下側の折畳み容器の前記第１側壁側係止部の上面に当接状態とされることを特徴とする折畳み容器。
【請求項２】
前記第２底壁側係止部は、外側面の下端部を含む部位において、外方に向けて上方に傾斜するスライド補助傾斜面を備えていることを特徴とする請求項１に記載の折畳み容器。
【請求項３】
前記第２底壁側係止部は、内側面の下端部を含む部位において、内方に向けて上方に傾斜する底壁側段バラシ補助傾斜面を備え、
前記第２側壁側係止部は、外側面の上端部を含む部位において、内方に向けて上方に傾斜する側壁側段バラシ補助傾斜面を備えていることを特徴とする請求項１又は２に記載の折畳み容器。
【発明の詳細な説明】
【技術分野】
【０００１】
本発明は、物品の運搬等に使用される折畳み容器に関するものである。
【背景技術】
【０００２】
従来、物品の運搬等に使用される容器として、略矩形状をなす底壁部、及び、該底壁部の各側辺部に沿ってそれぞれ上方に突出する土台部を具備する底壁構成部と、各土台部に対してそれぞれ回動可能に連結された側壁部とを備え、上方に開口する箱型に組立可能に構成されるとともに、各側壁部を底壁部の上方に倒して折畳むことのできる折畳み容器が知られている。
【０００３】
また、折畳み容器には、折畳み容器同士を安定的に積み重ねる（段積みする）ことができるように構成されているものもある。より具体的には、底壁部に対し、組立状態にある折畳み容器を段積みした場合には、上側の折畳み容器の底壁構成部のうち外周側の部位（以下、「外周対応部」と称する）が、下側の折畳み容器の側壁部の上辺部に当接して支持されるようになっている。さらに、底壁部は、外周対応部よりも内周側の部位から下方に突出する支持部を備えている。そして、組立状態にある折畳み容器を段積みした場合には、上側の折畳み容器の支持部が、下側の折畳み容器の側壁部の内周側に挿入される（略嵌合する）ように構成されている。
【０００４】
さらに、相対する一対の長辺側側壁部の上辺部から上方に突出し、当該長辺側側壁部の横幅方向に沿って延在する側壁側係止部を設ける一方で、底壁部の長側辺部に対応する外周対応部から下方に突出する底壁側係止部を支持部との間に隙間が形成されるようにして設けるといった技術がある（例えば、特許文献１等参照。）。かかる折畳み容器を組立て状態として段積みした場合には、上側の折畳み容器の底壁側係止部と、支持部との間の隙間に、下側の折畳み容器の側壁側係止部が挿入される。これにより、上側の折畳み容器の底壁側係止部と、支持部とによって、下側の折畳み容器の側壁側係止部の変位が規制されることとなり、下側の折畳み容器の側壁部が折畳み容器の内外周方向に傾倒変位したり、変形したりしてしまうといった事態を抑止することができる。
【０００５】
また、折畳み容器の段積み作業に際して、組立状態にある折畳み容器に対し、その上側に載せた折畳み容器の水平方向における相対位置が、長辺側側壁部の横幅方向においてずれる場合がある。この場合、上側に載せた折畳み容器を、下側の折畳み容器の側壁部の上辺部に滑らせるようにして、相対位置が合致するまでスライドさせる（スライドスタックする）といったことが行われる。このとき、上記のように、上側の折畳み容器の底壁側係止部と、支持部との間の隙間に、下側の折畳み容器の側壁側係止部が挿入された状態とされることにより、スライドスタックをよりスムースかつ確実に行うことができるようになっている。
【先行技術文献】
【特許文献】
【０００６】
【特許文献１】特開２００１−３３５０２９号公報
【発明の概要】
【発明が解決しようとする課題】
【０００７】
ところで、上記特許文献１の折畳み容器の短辺側側壁部には、側壁側係止部が設けられていないことから、折畳み容器を組立て状態として段積みした場合に、短辺側側壁部が折畳み容器の内外周方向に傾倒変位したり、変形したりしてしまうといった事態が懸念される。
【０００８】
これに対し、短辺側側壁部にも側壁側係止部を設けるとともに、当該側壁側係止部に対応する底壁側係止部を設けることも考えられる。しかし、この場合には、上記のようなスライドスタックが行い難くなってしまうことが懸念される。
【０００９】
本発明は、上記例示した問題点等を解決するためになされたものであって、その目的は、段積み状態における側壁部の変形を防止するとともに、スライドスタックをスムースに実行可能とする折畳み容器を提供することにある。
【課題を解決するための手段】
【００１０】
以下、上記目的等を解決するのに適した各手段につき項分けして説明する。なお、必要に応じて対応する手段に特有の作用効果等を付記する。
【００１１】
手段１．平面視略矩形状をなす底壁部、前記底壁部の相対する一対の第１側辺部に沿ってそれぞれ上方に突出する第１土台部、及び、前記底壁部の相対する一対の第２側辺部に沿ってそれぞれ上方に突出する第２土台部を具備する底壁構成部と、
前記各第１土台部に対してそれぞれ回動変位可能に連結された第１側壁部と、
前記各第２土台部に対してそれぞれ回動変位可能に連結された第２側壁部とを備え、
前記各第１側壁部、及び、前記各第２側壁部が、それぞれ前記第１土台部、及び、前記第２土台部の上方に立設される起立位置と、前記底壁部の上方に寝かされる寝かせ位置との間を回動変位可能に構成された折畳み容器において、
全ての前記側壁部を前記起立位置とさせた組立状態にある折畳み容器同士を上下に積み重ね可能に構成され、
前記各第１側壁部は、当該第１側壁部の上辺部から上方に突出し、当該第１側壁部の横幅方向に沿って延在する第１側壁側係止部を備え、
前記各第２側壁部は、当該第２側壁部の上辺部から上方に突出する第２側壁側係止部を備え、
前記底壁部は、当該底壁部のうち前記組立状態にある前記折畳み容器同士を積み重ねた場合に下側の前記折畳み容器の前記側壁部の上辺部に当接して支持される部位である外周対応部よりも内周側の部位から下方に突出する支持部を備え、
前記底壁構成部は、
前記外周対応部のうち前記第１土台部の下方に位置する第１外周対応部において、前記支持部との間に隙間が形成されるようにして前記第１外周対応部から下方に突出する第１底壁側係止部と、
前記外周対応部のうち前記第２土台部の下方に位置する第２外周対応部において、前記支持部との間に隙間が形成されるようにして前記第２外周対応部から下方に突出する第２底壁側係止部とを備え、
前記組立状態にある折畳み容器同士を積み重ねた場合に、上側の折畳み容器の前記第１底壁側係止部と、前記支持部との間の隙間に、下側の折畳み容器の前記第１側壁側係止部が挿入され、かつ、上側の折畳み容器の前記第２底壁側係止部と、前記支持部との間の隙間に、下側の折畳み容器の前記第２側壁側係止部が挿入される構成であって、
前記底壁構成部は、前記第１外周対応部から下方に突出するスライド補助突起を備え、
前記第１側壁側係止部には、前記組立状態にある折畳み容器同士を積み重ねた場合に、上側の折畳み容器の前記スライド補助突起が収容される収容凹部が設けられ、
組立状態にある折畳み容器に対し、その上側に載せた折畳み容器の水平方向における相対位置が、前記第１側壁部の横幅方向においてずれた場合においても、上側の折畳み容器の前記第１底壁側係止部と、前記支持部との間の隙間に、下側の折畳み容器の前記第１側壁側係止部が挿入された状態とされるとともに、
組立状態にある折畳み容器に対し、その上側に載せた折畳み容器の水平方向における相対位置が、前記第１側壁部の横幅方向においてずれた場合に、上側の折畳み容器の前記スライド補助突起が、下側の折畳み容器の前記第１側壁側係止部の上面に当接状態とされることを特徴とする折畳み容器。
【００１２】
手段１によれば、折畳み容器同士を上下に積み重ねる（段積みする）作業に際して、組立状態にある折畳み容器に対し、その上側に載せた折畳み容器の水平方向における相対位置が、第１側壁部の横幅方向においてずれた場合であっても、上側の折畳み容器の第１底壁側係止部と、支持部との間の隙間に、下側の折畳み容器の第１側壁側係止部が挿入された状態とされることにより、上側に載せた折畳み容器を、下側の折畳み容器の第１側壁部の上辺部に滑らせるようにして、相対位置が合致するまで比較的スムース、かつ、確実にスライドさせる（スライドスタックする）ことができる。
【００１３】
また、組立状態にある折畳み容器を段積みした場合には、上側の折畳み容器の第１底壁側係止部と、支持部との間の隙間に、下側の折畳み容器の第１側壁側係止部が挿入され、かつ、上側の折畳み容器の第２底壁側係止部と、支持部との間の隙間に、下側の折畳み容器の第２側壁側係止部が挿入されるようになっている。このため、組立状態にある折畳み容器を段積みした場合に、下側の折畳み容器の第１側壁部、及び、第２側壁部が折畳み容器の内外周方向に傾倒変位したり、変形したりしてしまうといった事態を防止することができ、結果として、折畳み容器の段積み状態の安定化等を図ることができる。
【００１４】
さらに、本手段１によれば、第１外周対応部において下方に突出するスライド補助突起が設けられ、第１側壁部の横幅方向に沿って折畳み容器をスライドスタックさせる場合には、スライド補助突起が第１側壁側係止部の上面に当接状態とされるようになっている。つまり、第１側壁部の横幅方向に沿って折畳み容器をスライドスタックさせる場合には、最後に、上側の折畳み容器の第２底壁側係止部が、下側の折畳み容器の第２側壁側係止部を乗り越えて、第２側壁側係止部の外面側に位置する必要がある。このとき、上側の折畳み容器のスライド補助突起が、下側の折畳み容器の第１側壁側係止部の上面を摺接することにより、例えば、スライド補助突起が省略されて、上側の折畳み容器の第１外周対応部が、下側の折畳み容器の第１側壁側係止部の上面を摺接する構成に比べ、上側の折畳み容器の第２底壁側係止部を、下側の折畳み容器の第２側壁側係止部に対して、相対的に上方に位置させ易くすることができる。従って、スライドスタックに際して比較的容易に上側の折畳み容器の第２底壁側係止部と、下側の折畳み容器の第２側壁側係止部とを係止させることができ、結果として、段積み作業性の向上を図ることができる。
【００１５】
さらに、スライドスタックを経て、上側の折畳み容器の第２底壁側係止部と、下側の折畳み容器の第２側壁側係止部とが係止状態とされた場合には、スライド補助突起が収容凹部に収容されることとなる。これにより、折畳み容器の段積み状態において、上側の折畳み容器の荷重が基本的にスライド補助突起でしか支持されなくなってしまうといった事態を回避しつつ、上側の折畳み容器の第１底壁側係止部と、支持部との間の隙間に、下側の折畳み容器の第１側壁側係止部が挿入された状態とされ、かつ、上側の折畳み容器の第２底壁側係止部と、支持部との間の隙間に、下側の折畳み容器の第２側壁側係止部が挿入された状態をより確実なものとする（底壁側係止部と、側壁側係止部とのかかり代を十分に確保する）ことができる。
【００１６】
尚、「少なくとも前記スライド補助突起と、前記第１側壁部の側辺部との間に前記第１底壁側係止部が設けられていること」としてもよい。この場合、第１底壁側係止部を設けることでスライドスタックをスムースかつ確実に行うことができるという作用効果がより確実に操作される。
【００１７】
手段２．前記第２底壁側係止部は、外側面の下端部を含む部位において、外方に向けて上方に傾斜するスライド補助傾斜面を備えていることを特徴とする手段１に記載の折畳み容器。
【００１８】
手段２によれば、スライドスタックにおいて、上側の折畳み容器の第２底壁側係止部が下側の折畳み容器の第２側壁側係止部をより乗り越え易くなるようにすることができ、段積み作業性のより一層の向上を図ることができる。
【００１９】
手段３．前記第２底壁側係止部は、内側面の下端部を含む部位において、内方に向けて上方に傾斜する底壁側段バラシ補助傾斜面を備え、
前記第２側壁側係止部は、外側面の上端部を含む部位において、内方に向けて上方に傾斜する側壁側段バラシ補助傾斜面を備えていることを特徴とする手段１又は２に記載の折畳み容器。
【００２０】
手段３によれば、段積みされた折畳み容器のうち、下側の折畳み容器に対して、上側の折畳み容器を第１側壁部の横幅方向にスライドさせて段積み状態を解消する（段バラシする）作業を行う場合に、作業者が上側の折畳み容器の手前側の第２側壁部を若干引き上げつつ作業者側に引っ張る際に、作業者にとって奥側に位置する第２側壁部側の第２底壁側係止部が、下側の折畳み容器の第２側壁側係止部を乗り越え易くなるようにすることができる。従って、段バラシ作業性の向上を図ることができる。
【００２１】
手段４．前記底壁構成部は、前記スライド補助突起に対し前記底壁部の外周側に隣接して、前記スライド補助突起よりも下方に突出するガイド突起を備えていることを特徴とする手段１乃至３のいずれかに記載の折畳み容器。
【００２２】
手段４によれば、スライドスタックに際し、上側の折畳み容器のスライド補助突起が、下側の折畳み容器の第１側壁側係止部から脱落してしまうといった事態をより確実に防止することができる。
【図面の簡単な説明】
【００２３】
【図１】組立状態にある折畳み容器の斜視図である。
【図２】折畳み状態にある折畳み容器の斜視図である。
【図３】折畳み容器の部分拡大斜視図である。
【図４】折畳み容器の一部断面を含む部分拡大斜視図である。
【図５】折畳み容器の下面側を示す部分拡大斜視図である。
【図６】組立状態にある折畳み容器を段積みした状態における、下側の折畳み容器の側壁部と、上側の折畳み容器の底壁構成部との位置関係を説明するための部分拡大斜視図である。
【図７】段積みされた折畳み容器を示す部分拡大断面図である。
【図８】スライドスタックの過程における、下側の折畳み容器の側壁部と、上側の折畳み容器の底壁構成部との位置関係を説明するための部分拡大斜視図である。
【図９】スライドスタックの過程における折畳み容器を示す部分拡大断面図である。
【図１０】段バラシの過程における、下側の折畳み容器の側壁部と、上側の折畳み容器の底壁構成部との位置関係を説明するための部分拡大斜視図である。
【図１１】段バラシの過程における折畳み容器を示す部分拡大断面図である。
【図１２】蓋部材を示す斜視図である。
【発明を実施するための形態】
【００２４】
以下に、一実施形態について図面を参照して説明する。図１、図２等に示すように、折畳み容器１は、平面視略矩形状をなす底壁部３と、底壁部３の各長辺部（第１側辺部）に沿って底壁部３からそれぞれ上方に突出する第１土台部としての長辺側土台部４と、底壁部３の各短辺部（第２側辺部）に沿って底壁部３からそれぞれ上方に突出する第２土台部としての短辺側土台部５とを具備する底壁構成部２を備えている。さらに、折畳み容器１は、各長辺側土台部４に対してそれぞれ回動可能に連結された第１側壁部としての長辺側側壁部６と、各短辺側土台部５に対してそれぞれ回動可能に連結された第２側壁部としての短辺側側壁部７とを備えている。本実施形態の底壁構成部２、長辺側側壁部６、及び、短辺側側壁部７は、ポリプロピレンにより構成されている。
【００２５】
長辺側側壁部６、及び、短辺側側壁部７は、それぞれ長辺側土台部４、及び、短辺側土台部５の上方に立設される起立位置と、底壁部３の中央部側に寝かされる寝かせ位置との間を回動変位可能に構成されている。また、図５等に示すように、長辺側土台部４の底壁部３からの突出長は、短辺側土台部５の底壁部３からの突出長よりも長くなっており、図４、図７に示すように、長辺側側壁部６を回動可能に支持するための長辺側軸受部１１の形成位置も、短辺側側壁部７を回動可能に支持するための短辺側軸受部１２の形成位置よりも上方に位置している。さらに、長辺側側壁部６の横幅は、底壁構成部２の長手幅とほぼ同じに構成され、短辺側側壁部７の横幅は、一対の長辺側土台部４間の距離とほぼ同じに構成されている。
【００２６】
このため、本実施形態では、全ての長辺側側壁部６、及び、短辺側側壁部７が起立位置とされた組立状態にある折畳み容器１を、全ての長辺側側壁部６、及び、短辺側側壁部７が寝かせ位置とされた折畳み状態とする場合には、一対の短辺側側壁部７を先に寝かせ位置へと変位させてから、長辺側側壁部６を寝かせ位置へと変位させる構成となっている。そして、折畳み容器１が折畳み状態とされた場合には、寝かせ位置とされた短辺側側壁部７が底壁部３の上方に重なるとともに、寝かせ位置とされた長辺側側壁部６が短辺側側壁部７の上方に重なるようになっている。
【００２７】
図２、図４に示すように、長辺側側壁部６には、長辺側土台部４の長辺側軸受部１１に対して回動可能に連結される長辺側ヒンジ部１３が設けられている。長辺側ヒンジ部１３は、長辺側側壁部６の下辺部から下方に突出するヒンジ本体１４と、長辺側側壁部６の横幅方向におけるヒンジ本体１４の両側面の下端部から側方に突出する一対の軸部（図示略）とを備えている。さらに、短辺側側壁部７には、短辺側土台部５の短辺側軸受部１２に対して回動可能に連結される短辺側ヒンジ部１６が設けられている。短辺側ヒンジ部１６についても、ヒンジ本体１７、及び、軸部（図示略）を備えている。
【００２８】
また、図３等に示すように、短辺側側壁部７の外面の両側部には、外方に突出する挿入突起２１が設けられている。これに対し、長辺側側壁部６には、内面の両側部から内方に突出する係止壁２２が設けられるとともに、係止壁２２において、折畳み容器１が組立状態とされた場合に、短辺側側壁部７の挿入突起２１が挿入される挿入孔部２３が設けられている。当該構成により、短辺側側壁部７の外側への傾倒変位が防止されるとともに、長辺側側壁部６と、短辺側側壁部７との間の上下方向における位置ずれが防止されるようになっている。
【００２９】
さらに、短辺側側壁部７の外面側には、短辺側側壁部７の内側への傾倒変位を防止するロック機構２４が設けられている。ロック機構２４は、長辺側側壁部６の各側辺部において出没可能に設けられた左右一対のスライド片２５を備え、折畳み容器１が組立状態とされた場合に、スライド片２５の先端部が、長辺側側壁部６の内面側に設けられた係止凹部（図示略）に挿入されるようになっている。加えて、ロック機構２４は、作業者が操作可能な操作部２６を備え、操作部２６の所定の操作を行うことで、左右一対のスライド片２５がともに係止凹部から抜け出した位置へと変位するようになっている。
【００３０】
また、図１等に示すように、各長辺側側壁部６、及び、各短辺側側壁部７の上部には、長辺側側壁部６及び短辺側側壁部７の厚み方向に貫通し、作業者が手を掛けることのできる持ち手部２７が設けられている。さらに、各持ち手部２７に対応して、各長辺側側壁部６、及び、各短辺側側壁部７の内面側に対し、各長辺側側壁部６、及び、各短辺側側壁部７の内面よりも内側に突出しないように装着され、持ち手部２７を閉塞する持ち手カバー２８が設けられている。持ち手カバー２８は弾性変形可能に構成され、作業者が持ち手部２７に指先を挿入する場合には内側に変形し、指先を持ち手部２７から外した場合に、自らの弾性力により持ち手部２７を閉塞する姿勢に戻るようになっている。
【００３１】
尚、一対の短辺側土台部５間の距離は、短辺側側壁部７の高さ（上下幅）の２倍の長さよりも長くなっている。このため、寝かせ位置とされた一対の短辺側側壁部７の高さが揃うようになっている。その一方で、一対の長辺側土台部４間の距離は、長辺側側壁部６の高さ（上下幅）の２倍の長さよりも短くなっている。このため、折畳み容器１を折畳む場合には、一対の長辺側側壁部６のうち一方の長辺側側壁部６を寝かせ位置へと変位させた後、他方の長辺側側壁部６を、既に寝かせ位置とされた一方の長辺側側壁部６の上方に重ねるようにして、寝かせ位置へと変位させる。つまり、一対の長辺側側壁部６は、互いに折り重なるようにして畳まれる。さらに、長辺側軸受部１１は、寝かせ位置にある長辺側側壁部６の長辺側ヒンジ部１３の上下方向における変位を許容するように構成されており、寝かせ位置とされた一対の長辺側側壁部６は、ともに略水平方向に延在するようになっている。
【００３２】
さて、図１、図３等に示すように、各長辺側側壁部６は、当該長辺側側壁部６の上辺部のうち長辺側側壁部６の内側部位から上方に突出し、当該長辺側側壁部６の横幅方向に沿って延在する第１側壁側係止部としての長側壁側係止部３１を備えている。本実施形態の長側壁側係止部３１は、長辺側側壁部６の横幅方向全体にわたって設けられている。
【００３３】
さらに、各短辺側側壁部７は、当該短辺側側壁部７の上辺部のうち短辺側側壁部７の内側部位から上方に突出し、当該短辺側側壁部７の横幅方向に沿って延在する第２側壁側係止部としての短側壁側係止部３２を備えている。本実施形態の短側壁側係止部３２は、短辺側側壁部７の横幅方向中央部を含む範囲にのみ設けられている。加えて、本実施形態では、短辺側側壁部７の上辺部のうち、短側壁側係止部３２の両側方に隣接する部位等を含む一般部は、短側壁側係止部３２の上面と同じ高さとなっている。さらに、長側壁側係止部３１の上面は、短辺側側壁部７の上辺部（一般部の上面、及び、短辺側係止部３２の上面）と同じ高さとなっている。
【００３４】
また、図４、図５、図６に示すように、底壁部３は、略矩形板状の底板部３３と、底板部３３のうち、組立状態にある折畳み容器１同士を積み重ねた（段積みした）場合に、下側の折畳み容器１の長辺側側壁部６、及び、短辺側側壁部７の上辺部に当接して支持される部位である外周対応部３４（底壁部３のうち上面側において長辺側土台部４及び短辺側土台部５が形成されている部位）よりも内周側の部位から下方に突出する支持部３７とを備えている。支持部３７は、底板部３３から下方に突出するリブが下面視で格子状に設けられることで構成されている。また、図４に示すように、本実施形態の底板部３３のうち外周対応部３４は、その内周側の部位よりも上方に位置するようにして設けられている。尚、図６（及び、後出の図７〜図１１）では、便宜上、上側の折畳み容器１の側壁部６、７の図示を省略している。
【００３５】
さらに、図５等に示すように、底壁構成部２は、外周対応部３４のうち長辺側土台部４の下方に位置する第１外周対応部としての長辺側外周対応部３５において、支持部３７との間に隙間が形成されるようにして長辺側外周対応部３５から下方に突出する第１底壁側係止部としての長手底壁側係止部３８と、外周対応部３４のうち短辺側土台部５の下方に位置する第２外周対応部としての短辺側外周対応部３６において、支持部３７との間に隙間が形成されるようにして短辺側外周対応部３６から下方に突出する第２底壁側係止部としての短手底壁側係止部３９とを備えている。尚、本実施形態では、長手底壁側係止部３８の下面と、短手底壁側係止部３９の下面とが同じ高さ位置となっている。
【００３６】
図１、図５に示すように、本実施形態では、長手底壁側係止部３８は、底壁部３の長側辺部の両端部近傍にそれぞれ設けられるとともに、底壁構成部２の外周面と面一となるように底壁部３の長側辺部に沿って設けられている。また、短手底壁側係止部３９は、底壁部３の短側辺部の中央部を含む範囲に設けられるとともに、底壁構成部２の外周面と面一となるように底壁部３の短側辺部に沿って設けられている。
【００３７】
そして、図６に示すように、組立状態にある折畳み容器１を段積みした場合には、上側の折畳み容器１の長手底壁側係止部３８と、支持部３７（図５、図８参照）との間の隙間に、下側の折畳み容器１の長側壁側係止部３１が挿入されるように構成されている。さらに、図７に示すように、上側の折畳み容器１の短手底壁側係止部３９と、支持部３７との間の隙間に、下側の折畳み容器１の短側壁側係止部３２が挿入されるように構成されている。
【００３８】
当該構成により、組立状態にある折畳み容器１の段積み状態において、下側の折畳み容器１の長辺側側壁部６、及び、短辺側側壁部７が折畳み容器１の内外周方向に傾倒変位したり、変形したりすることが抑止される。また、折畳み容器１を段積みする作業に際して、組立状態にある折畳み容器１に対し、その上側に載せた折畳み容器１の水平方向における相対位置が、長辺側側壁部６の横幅方向においてずれた場合であっても（あえて、ずらして載せる場合もある）、図８に示すように、上側の折畳み容器１の長手底壁側係止部３８と、支持部３７との間の隙間に、下側の折畳み容器１の長側壁側係止部３１が挿入された状態とされる。これにより、上側に載せた折畳み容器１を、下側の折畳み容器１の長辺側側壁部６の上辺部に滑らせるようにして、相対位置が合致するまでスライドさせる（スライドスタックする）ことができる。
【００３９】
また、図５、図８に示すように、本実施形態の底壁構成部２は、長辺側外周対応部３５から下方に突出するスライド補助突起４１と、スライド補助突起４１に対し底壁部３の外周側に隣接して、スライド補助突起４１よりも下方に突出するガイド突起４２とを備えている。スライド補助突起４１は、各長手底壁側係止部３８よりも底壁部３の長側辺部の中央部側に位置するようにして一対で設けられ、各スライド補助突起４１に隣接してガイド突起４２が設けられている。本実施形態では、スライド補助突起４１の下面は、短手底壁側係止部３９の下面よりも若干下方に位置している。さらに、ガイド突起４２は、底壁部３の内外周方向において長手底壁側係止部３８と同様の位置（長辺側土台部４の外面と面一）に設けられるとともに、厚みが長手底壁側係止部３８と同じとなっている。当該構成により、折畳み容器１をスライドスタックさせる際には、少なくとも上側の折畳み容器１のスライド補助突起４１が、下側の折畳み容器１の長側壁側係止部３１の上面に当接状態とされる（ガイド突起４２に案内されつつ長側壁側係止部３１の上面を摺接する）ようになっている。
【００４０】
さらに、図４、図７等に示すように、短手底壁側係止部３９は、外側面の下端部を含む部位において、外方に向けて上方に傾斜するスライド補助傾斜面４３を備えている。このため、図９に示すように、スライドスタックの最後に、上側の折畳み容器１の短手底壁側係止部３９が、下側の折畳み容器１の短側壁側係止部３２を乗り越える際に、短手底壁側係止部３９と、短側壁側係止部３２とが接触したとしても、スライド補助傾斜面４３により、短手底壁側係止部３９が上方に案内されて、比較的スムースに、上側の折畳み容器１の短手底壁側係止部３９が下側の折畳み容器１の短側壁側係止部３２の外面側に位置するようになっている。
【００４１】
さらに、図１、図８等に示すように、長辺側側壁部６の上辺部には、組立状態にある折畳み容器１を段積みした場合に、上側の折畳み容器１のスライド補助突起４１が収容される収容凹部４４が設けられている。このため、組立状態にある折畳み容器１の段積みが完了した場合には、図６に示すように、上側の折畳み容器１のスライド補助突起４１と、下側の折畳み容器１の長側壁側係止部３１の上面とが当接する状態が解消され、長辺側側壁部６の横幅方向全域にわたり、下側の折畳み容器１の長側壁側係止部３１の上面と、上側の折畳み容器１の底壁部３（長辺側外周対応部３５）とが当接する。さらには、上側の折畳み容器１の全ての長手底壁側係止部３８の内側面が、下側の折畳み容器１の長側壁側係止部３１の外側面と当接、又は、近接するようになっている。尚、折畳み容器１の短辺側についても、下側の折畳み容器１の短側壁側係止部３２の上面と、上側の折畳み容器１の底壁部３（短辺側外周対応部３６）とが当接するようになっている。
【００４２】
また、図４、図７等に示すように、短手底壁側係止部３９は、内側面の下端部を含む部位において、内方に向けて上方に傾斜する底壁側段バラシ補助傾斜面４５を備えている。さらに、短側壁側係止部３２は、外側面の上端部を含む部位において、内方に向けて上方に傾斜する側壁側段バラシ補助傾斜面４６を備えている。例えば、図１０に示すように、段積みされた折畳み容器１のうち、下側の折畳み容器１に対して、上側の折畳み容器１を長辺側側壁部６の横幅方向にスライドさせて段積み状態を解消する（段バラシする）作業を行う場合には、作業者が上側の折畳み容器１の手前側の短辺側側壁部７を若干引き上げつつ作業者側に引っ張ることに伴い、作業者にとって奥側に位置する短辺側側壁部７側の短手底壁側係止部３９が、下側の折畳み容器１の短側壁側係止部３２を折畳み容器１の内側に乗り越える必要がある。このとき、図１１に示すように、短手底壁側係止部３９と、短側壁側係止部３２とが接触したとしても、底壁側段バラシ補助傾斜面４５、及び、側壁側段バラシ補助傾斜面４６により、短手底壁側係止部３９が上方に案内されて、比較的スムースに、上側の折畳み容器１の短手底壁側係止部３９が下側の折畳み容器１の短側壁側係止部３２の内面側に位置するようになっている。
【００４３】
尚、図５等に示すように、本実施形態の底壁構成部２は、一対のスライド補助突起４１の間、及び、各スライド補助突起４１と、当該各スライド補助突起４１から底壁部３の長側辺部の両端部側へ所定距離離れた位置との間において、長辺側外周対応部３５から下方へ突出する補助脚部４７を備えている。補助脚部４７は、長手底壁側係止部３８と同様に底壁部３の長側辺部に沿って設けられるとともに、長辺側外周対応部３５から下方への突出長、及び、厚みが長手底壁側係止部３８と同じとなっている。組立状態にある折畳み容器１を段積みした場合、図６に示すように、上側の折畳み容器１の補助脚部４７は、長手底壁側係止部３８と同様に、下側の折畳み容器１の長側壁側係止部３１の外側面と当接、又は、近接するように構成されている。
【００４４】
また、本実施形態では、図１２に示すような蓋部材５１を折畳み容器１に装着可能に構成されている。蓋部材５１は、平面視略矩形状の天壁部５２と、天壁部５２の外周縁から下方に突出する略四角枠状の外周壁部５３とを備えている。そして、組立状態にある折畳み容器１に対し蓋部材５１を被せた場合に、長辺側側壁部６の長側壁側係止部３１の外側面に対して蓋部材５１の外周壁部５３が当接、又は、近接するように構成されている。上記のように、本実施形態では、長側壁側係止部３１が長辺側側壁部６の横幅方向全体に設けられており、蓋部材５１の外周壁部５３を、長側壁側係止部３１の外方、かつ、長辺側側壁部６の上辺部の上方に位置させることができる。特に、本実施形態では、折畳み容器１の長辺側側壁部６の外面、及び、蓋部材５１の外周壁部５３の外面が略面一とされるようになっている。尚、本実施形態の蓋部材５１はポリプロピレンにより構成されている。
【００４５】
以上詳述したように、本実施形態によれば、折畳み容器１を段積みする作業に際して、組立状態にある折畳み容器１に対し、その上側に載せた折畳み容器１の水平方向における相対位置が、長辺側側壁部６の横幅方向においてずれた場合であっても、上側の折畳み容器１の長手底壁側係止部３８と、支持部３７との間の隙間に、下側の折畳み容器１の長側壁側係止部３１が挿入された状態とされる。これにより、上側に載せた折畳み容器１を、下側の折畳み容器１の長辺側側壁部６の上辺部に滑らせるようにして、相対位置が合致するまで比較的スムース、かつ、確実にスライドスタックさせることができる。
【００４６】
また、組立状態にある折畳み容器１を段積みした場合には、上側の折畳み容器１の長手底壁側係止部３８と、支持部３７との間の隙間に、下側の折畳み容器１の長側壁側係止部３１が挿入され、かつ、上側の折畳み容器１の短手底壁側係止部３９と、支持部３７との間の隙間に、下側の折畳み容器１の短側壁側係止部３２が挿入されるようになっている。このため、組立状態にある折畳み容器１を段積みした場合に、下側の折畳み容器１の長辺側側壁部６、及び、短辺側側壁部７が折畳み容器１の内外周方向に傾倒変位したり、変形したりしてしまうといった事態を防止することができ、結果として、折畳み容器１の段積み状態の安定化等を図ることができる。
【００４７】
さらに、本実施形態によれば、長辺側外周対応部３５において下方に突出するスライド補助突起４１が設けられ、長辺側側壁部６の横幅方向に沿って折畳み容器１をスライドスタックさせる場合には、スライド補助突起４１が長側壁側係止部３１の上面に当接状態とされるようになっている。つまり、長辺側側壁部６の横幅方向に沿って折畳み容器１をスライドスタックさせる場合には、最後に、短手底壁側係止部３９が、短側壁側係止部３２を乗り越えて、短側壁側係止部３２の外面側に位置する必要がある。このとき、上側の折畳み容器１のスライド補助突起４１が、下側の折畳み容器１の長側壁側係止部３１の上面を摺接することにより、例えば、スライド補助突起４１が省略されて、上側の折畳み容器１の長辺側外周対応部３５（底板部３３の下面）が、下側の折畳み容器１の長側壁側係止部３１の上面を摺接する構成に比べ、上側の折畳み容器１の短手底壁側係止部３９を、下側の折畳み容器１の短側壁側係止部３２に対して、相対的に上方に位置させ易くすることができる。従って、スライドスタックに際して比較的容易に上側の折畳み容器１の短手底壁側係止部３９と、下側の折畳み容器１の短側壁側係止部３２とを係止させることができ、結果として、段積み作業性の向上を図ることができる。
【００４８】
さらに、スライドスタックを経て、上側の折畳み容器１の短手底壁側係止部３９と、下側の折畳み容器１の短側壁側係止部３２とが係止状態とされた場合には、スライド補助突起４１が収容凹部４４に収容されることとなる。これにより、折畳み容器１の段積み状態において、上側の折畳み容器１の荷重が基本的にスライド補助突起４１でしか支持されなくなってしまうといった事態を回避しつつ、上側の折畳み容器１の長手底壁側係止部３８と、支持部３７との間の隙間に、下側の折畳み容器１の長側壁側係止部３１が挿入された状態とされ、かつ、上側の折畳み容器１の短手底壁側係止部３９と、支持部３７との間の隙間に、下側の折畳み容器１の短側壁側係止部３２が挿入された状態をより確実なものとする（長手底壁側係止部３８、及び、短手底壁側係止部３９と、長側壁側係止部３１、及び、短側壁側係止部３２とのかかり代を十分に確保する）ことができる。
【００４９】
また、短手底壁側係止部３９は、外側面の下端部を含む部位において、外方に向けて上方に傾斜するスライド補助傾斜面４３を備えている。このため、スライドスタックにおいて、上側の折畳み容器１の短手底壁側係止部３９が下側の折畳み容器１の短側壁側係止部３２をより乗り越え易くなるようにすることができ、段積み作業性のより一層の向上を図ることができる。
【００５０】
さらに、短手底壁側係止部３９は、内側面の下端部を含む部位において、内方に向けて上方に傾斜する底壁側段バラシ補助傾斜面４５を備え、短側壁側係止部３２は、外側面の上端部を含む部位において、内方に向けて上方に傾斜する側壁側段バラシ補助傾斜面４６を備えている。このため、段積みされた折畳み容器１のうち、下側の折畳み容器１に対して、上側の折畳み容器１を長辺側側壁部６の横幅方向にスライドさせて段バラシする作業を行う場合に、作業者が上側の折畳み容器１の手前側の短辺側側壁部７を若干引き上げつつ作業者側に引っ張る際に、作業者にとって奥側に位置する短辺側側壁部７側の短手底壁側係止部３９が、下側の折畳み容器１の短側壁側係止部３２を乗り越え易くなるようにすることができる。従って、段バラシ作業性の向上を図ることができる。
【００５１】
加えて、底壁構成部２には、各スライド補助突起４１に対し底壁部３の外周側に隣接して、スライド補助突起４１よりも下方に突出するガイド突起４２が設けられている。このため、スライドスタック（或いは上記のような上段の折畳み容器１を左右方向にスライドさせての段バラシ作業）に際し、上側の折畳み容器１のスライド補助突起４１が、下側の折畳み容器１の長側壁側係止部３１から脱落してしまうといった事態をより確実に防止することができる。
【００５２】
尚、上記実施形態の記載内容に限定されず、例えば次のように実施してもよい。勿論、以下において例示しない他の応用例、変更例も当然可能である。
【００５３】
（ａ）上記実施形態では、短側壁側係止部３２においてスライド補助傾斜面４３、及び、底壁側段バラシ補助傾斜面４５が設けられ、短側壁側係止部３２において側壁側段バラシ補助傾斜面４６が設けられているが、これらを適宜省略することも可能である。さらに、上記実施形態では、各スライド補助突起４１に隣接してガイド突起４２が設けられているが、ガイド突起４２を省略することも可能である。
【００５４】
（ｂ）上記実施形態では、短手底壁側係止部３９の下面が、スライド補助突起４１の下面よりも若干上方に位置しているが、短手底壁側係止部３９の下面が、スライド補助突起４１の下面よりも下方に位置したり、同じ高さ位置とされたりすることとしてもよい。すなわち、スライド補助突起４１が設けられる場合には、スライド補助突起４１が設けられない場合に比べ、スライドスタックに際して、上側の折畳み容器１の短手底壁側係止部３９の高さ位置を、下側の折畳み容器１の短側壁側係止部３２に対して相対的に上方に位置させ易くすることができる。従って、スライドスタックに際して、上側の折畳み容器１の短手底壁側係止部３９が、下側の折畳み容器１の短側壁側係止部３２を乗り越え易くなるといった作用効果が奏される。勿論、補助脚部４７の下面が、短手底壁側係止部３９の下面がよりも下方に位置することにより、かかる作用効果がより顕著に奏されることとなる。
【００５５】
（ｃ）上記実施形態では、折畳み容器１に蓋部材５１を被せた場合に、蓋部材５１の外周壁部５３が、長辺側側壁部６の外面よりも外方に突出しないようにするために、長辺側側壁部６の横幅方向全体にわたって長側壁側係止部３１を設けることとしているが、折畳み容器１の段積みが完了する前にスライドスタックが途中で規制されてしまうといった事態を回避可能に構成されていればよい。例えば、長側壁側係止部３１は、折畳み容器１を段積みした場合に、上側の折畳み容器１の長手底壁側係止部３８のうち長辺側側壁部６の両側辺部にそれぞれ近い一対の長手底壁側係止部３８が配置される部位の間の範囲に連続して設けられていることとしてもよい。
【００５６】
（ｄ）上記実施形態では、一対の短辺側側壁部７を先に寝かせ位置とした後、一対の長辺側側壁部６を寝かせ位置とするように構成されているが、一対の長辺側側壁部６を先に寝かせ位置とした後、一対の短辺側側壁部７を寝かせ位置とするような構成としてもよい。さらに、上記実施形態では、寝かせ位置とされた一対の短辺側側壁部７の高さ位置が揃っている一方で、寝かせ位置とされた一対の長辺側側壁部６同士が上下に重なり合うように構成されているが、例えば、寝かせ位置とされた短辺側側壁部７同士が上下に重なり合うように構成してもよいし、寝かせ位置とされた長辺側側壁部６の高さ位置が揃うように構成してもよい。
【００５７】
（ｅ）上記実施形態において、長手底壁側係止部３８を底壁部３の長側辺部の中央部側に延長させるような格好で、補助脚部４７と連結されるように構成してもよい。尚、補助脚部４７は、長手底壁側係止部３８と同様に底壁部３の長側辺部に沿って設けられるとともに、外周対応部３４から下方への突出長が長手底壁側係止部３８と同じとなっている。当該構成を採用する場合、折畳み容器１を段積みした状態の安定化や、長手底壁側係止部３８等の耐久性の向上等を図るといった作用効果がより一層奏される。尚、本実施形態の長手底壁側係止部３８は、基本的に、折畳み容器１をスライドスタックさせる際に下側の折畳み容器１の長側壁側係止部３１の外面側に略係止状態とされる部位（スライドスタックの安定化に寄与する部位）を意図している。
【００５８】
（ｆ）上記実施形態の折畳み容器１、及び、蓋部材５１はポリプロピレンにより構成されているが、ポリエチレン、ＰＥＴ、ポリアミド等その他の樹脂材料により構成されることとしてもよい。
【符号の説明】
【００５９】
１…折畳み容器、２…底壁構成部、３…底壁部、４…長辺側土台部、５…短辺側土台部、６…長辺側側壁部、７…短辺側側壁部、３１…長側壁側係止部、３２…短側壁側係止部、３３…底壁部、３４…外周対応部、３５…長辺側外周対応部、３６…短辺側外周対応部、３７…支持部、３８…長手底壁側係止部、３９…短手底壁側係止部、４１…スライド補助突起、４２…ガイド突起、４３…スライド補助傾斜面、４４…収容凹部、４５…底壁側段バラシ補助傾斜面、４６…側壁側段バラシ補助傾斜面。
【図１】
2019085163.tif 000003
【図２】
2019085163.tif 000004
【図３】
2019085163.tif 000005
【図４】
2019085163.tif 000006
【図５】
2019085163.tif 000007
【図６】
2019085163.tif 000008
【図７】
2019085163.tif 000009
【図８】
2019085163.tif 000010
【図９】
2019085163.tif 000011
【図１０】
2019085163.tif 000012
【図１１】
2019085163.tif 000013
【図１２】
2019085163.tif 000014